(57)【要約】【課題】記憶媒体装着装置のロック機構を解除後にイジェクトレバーを係止してスライダーを排出することができる記憶媒体装着装置を提供する。【解決手段】ｉＶＤＲ１０が装着されるスライダー６の移動をロックして排出を禁止するロック機構２４を有する記憶媒体装着装置において、ロック機構２４を解除するイジェクトレバー４９と、イジェクトレバー４９を係止するラッチ機構６０とを有し、イジェクトレバー４９がロック機構２４のロックを解除した後、ラッチ機構６０がイジェクトレバー４９を係止したままに維持する。【選択図】図１
2008084389.tif 000002
【特許請求の範囲】
【請求項１】
記憶媒体が装着されるスライダーの移動をロックして排出を禁止するロック機構を有する記憶媒体装着装置において、
前記ロック機構のロックを解除するイジェクトレバーと、該イジェクトレバーを係止することが可能なラッチ機構とを備えていることを特徴とする記憶媒体装着装置。
【請求項２】
前記ロック機構は、前記スライダーに設けられたロックピン及び該ロックピンに係合してロックするように付勢されたロックレバーを有しており、
前記イジェクトレバーは、前記ロックレバーの付勢力に抗して押動されて前記ロックを解除するようにしてあることを特徴とする請求項１に記載の記憶媒体装着装置。
【請求項３】
前記イジェクトレバーは、長手方向に並設してある平行な長孔で支持され、該長孔により移動距離を制限してあることを特徴とする請求項１又は２に記載の記憶媒体装着装置。
【請求項４】
前記イジェクトレバーは、一端に前記ロックレバーと当接させることが可能な段部を、他端に付勢力に抗する外力を加えられて当該イジェクトレバーを移動させることが可能な操作部を有することを特徴とする請求項１乃至３のいずれか一つに記載の記憶媒体装着装置。
【請求項５】
前記ラッチ機構は、前記イジェクトレバーに回動可能に軸支され、前記スライダーに向けて付勢されたＬ型ラッチレバーと、該Ｌ型ラッチレバーの一端に立設されたラッチレバーピンと、該ラッチレバーピンと係合して前記Ｌ型ラッチレバーの回動を案内するカム溝とを有しており、
該カム溝は、前記イジェクトレバーの移動方向に対して斜めに設けられたガイド溝と、該ガイド溝の両端にそれぞれ設けられ、前記ラッチレバーピンを係止する係止溝とを有することを特徴とする請求項１乃至４のいずれか一つに記載の記憶媒体装着装置。
【請求項６】
前記Ｌ型ラッチレバーは、前記スライダーに向けた突設部を有しており、
前記スライダーの排出に連動して前記突設部が前記ロックピンと当接し、前記Ｌ型ラッチレバーが前記カム溝に案内されるようにしてあることを特徴とする請求項１乃至５のいずれか一つに記載の記憶媒体装着装置。
【発明の詳細な説明】
【技術分野】
【０００１】
本発明は、記憶媒体装着装置に装着された記憶媒体を、緊急時に取り出せる記憶媒体装着装置に関する。
【背景技術】
【０００２】
近年、大容量の記憶媒体としてブルーレイディスク及びＨＤ−ＤＶＤ等の光記憶媒体と共に、磁気記憶媒体であるリムーバブルハードディスクが注目されている。リムーバブルハードディスクの規格には、例えばｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）、ｉＶＤＲ  ｍｉｎｉ及びｉＶＤＲ  ｍｉｃｒｏ等がある。これらのリムーバブルハードディスクは、矩形板状をなす合成樹脂製の筐体内に２．５インチ、１．８インチ又は１．０インチ等の小型のハードディスクを収納したものであり、筐体の一の面には機器と接続を行うための接続端子が設けられ、この接続端子を介してパーソナルコンピュータ又はビデオレコーダ等の電気機器との間でデータの授受を行うようにしてある。
【０００３】
リムーバブルハードディスクを利用してデータの記憶を行う電気機器には、リムーバブルハードディスクを装着するための装着装置が備えられており、記憶媒体の装着装置に関して種々の発明が提案されている。
【０００４】
例えば、特許文献１においては、装置本体から突出するエジェクト釦を備え、エジェクト釦を押し込んで記憶媒体を取り出すようにしてある装着装置において、記憶媒体が装着された状態ではエジェクト釦が突出せず、記憶媒体が装着されていない状態でのみエジェクト釦が突出する構成とすることによって、誤操作を防止できる装着装置が提案されている。
【０００５】
近年の装着装置では、記憶媒体の装着及び離脱を自動的に行う機構、所謂オートローディング機構を搭載していることが好ましい。
この種のオートローディング機構を搭載した記憶媒体装着装置としては、例えば記憶媒体を装着したスライダーをアクチュエータ及びギヤ機構により自動的にスライドさせて記憶媒体を脱着することが考えられる。そして、アクチュエータの故障又は駆動する回路の故障が生じた緊急時には、アクチュエータのウォームとの回転軸を共有して装置外部に設けた操作部を、ユーザが回転させることによって、ギヤ機構を動作させて、スライダーをスライドさせることにより、記憶媒体の取り出しを行う機構が考えられる。
【特許文献１】特開２００４−１６５０７１号公報
【発明の開示】
【発明が解決しようとする課題】
【０００６】
しかしながら、このような緊急時に、アクチュエータの構成の一部であるウォームを手動で回転させて連結しているギヤ列を回転させて記憶媒体を強制的に取り出すには、或る程度の時間がかかる。
また特許文献１は、記憶媒体の装着及び離脱をユーザの押圧力により行うものであるため、オートローディング機構を搭載しておらず、アクチュエータ等の故障が生じた緊急時の記憶媒体の取り出しについて何ら開示されていない。
【０００７】
本発明は、斯かる事情に鑑みてなされたものであって、その目的とするところは、記憶媒体装着装置のスライダーの移動をロックして排出を禁止するロック機構のロックを解除するイジェクトレバーと、イジェクトレバーを係止するラッチ機構とを備えることにより、イジェクトレバーでロック機構のロックを解除後にイジェクトレバーを係止してスライダーを排出することができる記憶媒体装着装置を提供することにある。
【０００８】
また本発明の他の目的とするところは、イジェクトレバーがロックレバーの付勢力に抗して押動されてロックを解除する構成とすることにより、イジェクトレバーがロックレバーを押動してロックを解除後に、イジェクトレバーの移動を禁止することができる記憶媒体装着装置を提供することにある。
【０００９】
さらに本発明の他の目的とするところは、イジェクトレバーを長孔にて移動可能に支持される構成とすることにより、長孔の長さによりイジェクトレバーの移動範囲を設定することができる記憶媒体装着装置を提供することにある。
【００１０】
本発明の他の目的とするところは、イジェクトレバーを付勢力に抗する外力で移動させることが可能な操作部を有する構成とすることにより、針金又は竹串などで押してイジェクトレバーを移動させ、ロックレバーを回動させることができる記憶媒体装着装置を提供することにある。
【００１１】
本発明の他の目的とするところは、ピンが立設されたラッチレバーと係止溝とを備えることにより、ラッチレバーピンが係止溝に係合してイジェクトレバーを係止することができる記憶媒体装着装置を提供することにある。
【００１２】
本発明の他の目的とするところは、ラッチレバーがスライダーに向けた突設部を備えることにより、スライダーを排出するときにイジェクトレバーを解除することができる記憶媒体装着装置を提供することにある。
【課題を解決するための手段】
【００１３】
本発明の記憶媒体装着装置は、記憶媒体が装着されるスライダーの移動をロックして排出を禁止するロック機構を有する記憶媒体装着装置において、前記ロック機構のロックを解除するイジェクトレバーと、該イジェクトレバーを係止することが可能なラッチ機構とを備えていることを特徴とする。
【００１４】
このような構成の本発明の記憶媒体装着装置では、例えば強制的にスライダーを排出するとき、イジェクトレバーがロック機構を解除した後、ラッチ機構がイジェクトレバーを係止する。
したがって、例えば操作孔から針金又は竹串などを差し込んでイジェクトレバーを押動してロック機構を解除すると、ロック機構を解除した状態でラッチ機構がイジェクトレバーを係止したままになる。
【００１５】
本発明の記憶媒体装着装置は、前記ロック機構は、前記スライダーに設けられたロックピン及び該ロックピンに係合してロックするように付勢されたロックレバーを有しており、前記イジェクトレバーは、前記ロックレバーの付勢力に抗して押動されて前記ロックを解除するようにしてあることを特徴とする。
【００１６】
このような構成の本発明の記憶媒体装着装置では、イジェクトレバーが移動してロックレバーの付勢力に抗して押動し、ロックレバーが回動してロックを解除し、ラッチ機構がイジェクトレバーを係止する。
【００１７】
本発明の記憶媒体装着装置は、前記イジェクトレバーは、長手方向に並設してある平行な長孔で支持され、該長孔により移動距離を制限してあることを特徴とする。
【００１８】
このような構成の本発明の記憶媒体装着装置では、イジェクトレバーは長孔に沿って移動し、長孔の長さの範囲で移動範囲を制限する。
【００１９】
本発明の記憶媒体装着装置は、前記イジェクトレバーは、一端に前記ロックレバーと当接させることが可能な段部を、他端に付勢力に抗する外力を加えられて当該イジェクトレバーを移動させることが可能な操作部を有することを特徴とする。
【００２０】
このような構成の本発明の記憶媒体装着装置では、例えば操作孔から針金又は竹串などでイジェクトレバーの操作部を押していくと、イジェクトレバーが移動して段部がロックレバーと当接し、ロックレバーが回動する。
【００２１】
本発明の記憶媒体装着装置は、前記ラッチ機構は、前記イジェクトレバーに回動可能に軸支され、前記スライダーに向けて付勢されたＬ型ラッチレバーと、該Ｌ型ラッチレバーの一端に立設されたラッチレバーピンと、該ラッチレバーピンと係合して前記Ｌ型ラッチレバーの回動を案内するカム溝とを有しており、該カム溝は、前記イジェクトレバーの移動方向に対して斜めに設けられたガイド溝と、該ガイド溝の両端にそれぞれ設けられ、前記ラッチレバーピンを係止する係止溝とを有することを特徴とする。
【００２２】
このような構成の本発明の記憶媒体装着装置では、イジェクトレバーが移動していくと、ラッチレバーの一端に立設されたラッチレバーピンがガイド溝に沿って移動して、ラッチレバーが徐々に回動し、ラッチレバーピンが一端の係止溝に達すると、ラッチレバーが一気に正方向９０度まで回動して、ラッチレバーの回動軸とラッチレバーピンとでラッチレバーの回動を正方向９０度で禁止し、イジェクトレバーを係止する。
【００２３】
本発明の記憶媒体装着装置は、前記Ｌ型ラッチレバーは、前記スライダーに向けた突設部を有しており、前記スライダーの排出に連動して前記突設部が前記ロックピンと当接し、前記Ｌ型ラッチレバーが前記カム溝に案内されるようにしてあることを特徴とする。
【００２４】
このような構成の本発明の記憶媒体装着装置では、イジェクトレバーがロック機構を解除して係止されている状態から、スライダーを取り出していくと、ロックピンがラッチレバーの突設部に当接し、ラッチレバーがガイド溝に沿って徐々に回動し、ラッチレバーピンが他端の係止溝に達すると、ラッチレバーが一気に逆方向９０度まで回動して、ラッチレバーの回動軸とラッチレバーピンとでラッチレバーの回動を逆方向９０度で禁止し、イジェクトレバーを係止する。
【発明の効果】
【００２５】
本発明の記憶媒体装着装置は、イジェクトレバーを係止するラッチ機構を有しているので、ロック機構を解除した後、イジェクトレバーを係止して、スライダーを排出することができるという効果を有する。
したがって、例えば、一方の手でイジェクトレバーを移動させる操作をしながら、他方の手でスライダーを排出するということがなくなり、操作性がよくなる。
【００２６】
本発明の記憶媒体装着装置は、イジェクトレバーが移動して、ロックレバーを押動した後、ラッチ機構がイジェクトレバーを係止するので、イジェクトレバーがロックを解除後に、イジェクトレバーの移動を禁止することができるという効果を有する。
【００２７】
本発明の記憶媒体装着装置は、イジェクトレバーが長孔で移動可能に支持されているので、長孔の長さによりイジェクトレバーの移動範囲を設定することができるという効果を有する。
【００２８】
本発明の記憶媒体装着装置は、イジェクトレバーを付勢力に抗する外力で移動させることが可能な操作部を有しているので、例えば針金又は竹串などで押してイジェクトレバーを移動させ、ロックレバーを回動させることができるという効果を有する。
【００２９】
本発明の記憶媒体装着装置は、正逆に回動してイジェクトレバーを係止するラッチレバーを有しているので、ラッチレバーが正逆に回動する一端及び他端の係止溝でラッチレバーピンを係止することにより、イジェクトレバーを係止することができるという効果を有する。
【００３０】
本発明の記憶媒体装着装置は、ラッチレバーがスライダーに向けた突設部を有するので、スライダーを排出するときにイジェクトレバーを解除することができるという効果を有する。
【発明を実施するための最良の形態】
【００３１】
以下、図面に基づき、本発明による記憶媒体装着装置の好適な実施の形態を説明する。
本実施の形態の記憶媒体装着装置は、記憶媒体装着装置に緊急時の排出機構を設けたものである。
図１は記憶媒体ローディング完了モードの本実施の形態に係る記憶媒体装着装置の内部構成を示す斜視図である。図２は図１において装着されている記憶媒体を省略した斜視図である。
本実施の形態では、記憶媒体としてｉＶＤＲ規格のリムーバブルハードディスク（以下、単に「ｉＶＤＲ」という）を例に挙げて説明する。
【００３２】
記憶媒体装着装置は、ベースシャーシ２に対してスライド可能に設けられたスライドシャーシ４と、スライドシャーシ４に対してスライド可能に支持されたスライダー６とを備え、ベースシャーシ２に設けられているコネクタ８にｉＶＤＲ１０のコネクタ接続部が接続される。スライドシャーシ４及びスライダー６は、同じ方向にスライドするようになっており、スライダー６は、スライドシャーシ４に、後述するロック機構２４によりロックされている。
【００３３】
スライドシャーシ４は、ベースシャーシ２に対してアクチュエータ１２で駆動されるギヤ機構１４により移動可能になっており、スライドシャーシ４の移動に伴ってスライダー６も移動する。
なお、図１及び図２中、５０は強制排出機構を示し、４９はイジェクトレバーを示し、６０はラッチ機構を示す。
【００３４】
図３はスタンバイモードの本実施の形態に係る記憶媒体装着装置の内部構成を示す斜視図である。図４はイジェクトモードの本実施の形態に係る記憶媒体装着装置の内部構成を示す斜視図である。
イジェクト操作時において、スライドシャーシ４は、スライドシャーシ４の当接壁１６がスライダー６の後端壁１８に当接したまま、アクチュエータ１２で駆動されるギヤ機構１４によりスタンバイモードの位置まで正面側へ移動し（図３で示す位置）、ベースシャーシ２のコネクタ８が、ｉＶＤＲ１０のコネクタ接続部から外れるようにしてある。このときアクチュエータ１２は、ギヤ機構１４により自動ロック解除機構２０を動作させてロック機構２４を解除するようにしてある。
【００３５】
ベースシャーシ２のコネクタ８がｉＶＤＲ１０のコネクタ接続部から外れ、ロック機構２４が解除されてイジェクトモードになるとアクチュエータ１２が反転し、解除されたロック機構２４のロックレバー３８を元に戻す（図５参照）。そうすると、手動でスライダー６は正面側にスライドすることが可能で、イジェクトモードの位置になる（図４で示す位置）。このとき、ロック機構２４は後述のバネの付勢力によりロック状態の位置に復帰している。
【００３６】
図４に示すように、ベースシャーシ２に固定された両側の筐体枠７は、スライドシャーシ４のスライドガイド５をスライド可能に支持しており、スライドガイド５は、スライダー６の側壁部１９をスライド可能に支持するようになっている。
なお、図４中、符号３４は、後述するロックピンを示す。
【００３７】
次に、本実施の形態に係るスライダー及びスライドシャーシのロック機構について説明する。
図５は本実施の形態に係るロック機構を示す一部上面図である。
ロック機構２４は、スライダー６の側壁部１９に立設されたロックピン３４と、スライドシャーシ４のスライドガイド５（以上、図４を参照）に設けられたロックレバーピン３６に軸支された回動可能な略Ｌ字状のロックレバー３８とを有し、ロックレバー３８の一端はロックピン３４をロックした状態であり、他端はロックした状態を維持するように又はロックした状態に復帰するように、回動可能に付勢されたロックバネ４０を有する。
【００３８】
ロックバネ４０は、ロックレバー３８の他端に設けられたバネかけ部４２と、スライドシャーシ４に設けられたバネかけ部４４との間に取り付けられている。
略Ｌ字状ロックレバー３８の一端には、傾斜部４６が形成されている。ロックレバー３８の一端でロックピン３４と当接する側は、略矩形状の凹部４８が形成され、ロックピン３４をロックするようになっている。
【００３９】
次にロック機構の動作について説明する。
図４に示すイジェクトモードでは、ロック機構２４は、自動ロック解除機構２０によりロックが解除されており、ロックレバー３８は、元の位置に戻って図５に示す位置に復帰している。自動ロック解除機構２０は、アクチュエータ１２で駆動されるギヤ機構１４によりロックピン３４と係合するロックレバー３８を解除するものである。
なお、図４に示すロック機構２４は、ロックレバー３８がロックを解除した位置を示している。
【００４０】
図４に示すイジェクトモードにおいて、スライダー６にｉＶＤＲ１０を装着して、手動によりスライダー６をスライドシャーシ４に対してスライドし（図４のＡと逆方向）、スライダー６の側壁部１９がスライドシャーシ４のスライドガイド５に対してスライドしていくと、側壁部１９のロックピン３４がロックレバー３８の傾斜部４６に当接し、ロックレバー３８がロックバネ４０に抗して回転して（図５のＢ矢印参照）、ロックピン３４がロックレバー３８の凹部４８に填り、ロックレバー３８とロックピン３４とが係合し、ロック機構２４がロックピン３４をロックする。
このときスライダー６の後端壁１８とスライドシャーシ４の当接壁１６とが当接し、当接壁１６はスライダー６のストッパーの役目を果たす。
【００４１】
次に、本実施の形態に係る記憶媒体の強制排出機構について説明する。
本実施の形態に係る強制排出機構５０は、何らかの原因により、記憶媒体装着装置の動きがロックし記憶媒体が取り出せなくなった時の緊急イジェクト機構である。
図６は本実施の形態に係る強制排出機構を示す記憶媒体装着装置の全体構成斜視図である。図７は図６をより上方から視た本実施の形態に係る強制排出機構を示す記憶媒体装着装置の全体構成斜視図である。
強制排出機構５０は、イジェクトレバー４９と、ラッチ機構６０とを備え、ラッチ機構６０はイジェクトレバー４９のラッチ部６２に設けられている。
【００４２】
イジェクトレバー４９は、長手方向にずれて形成された平行な長孔５１、５３を有し、長孔５１、５３にてイジェクトレバー軸５２、５４にカットワッシャー（止め輪）で摺動可能な状態で支持されている。
したがって、イジェクトレバー４９は、イジェクトレバー軸５２、５４に支持されて、長孔５１、５３の長さの範囲で摺動可能になっている。
イジェクトレバー４９は、摺動する以前の通常状態、つまり、ロック機構２４を解除する前の状態に復帰するように、ベースシャーシ２に一端が取り付けられたバネ５５により付勢されており、バネ５５の他端はイジェクトレバー４９の最先端に取り付けられている。
【００４３】
イジェクトレバー４９の長手方向の一端には段部５６が形成され、他端には操作部５８及びラッチ部６２が形成されている。段部５６及び操作部５８は、平坦な壁状であり、イジェクトレバー４９の長手方向に対する断面が、Ｌ型又はコの字型に形成されている。
イジェクトレバー４９が一方向に摺動するにつれて、段部５６がロックレバー３８と当接し回動させて、ロックピン３４とロックレバー３８との係合を解除するようにしてある。
また、他端の操作部５８に例えば針金又は竹串などで外力を加えて一方向に押してイジェクトレバー４９を摺動させると（図６及び図７のＣ方向）、段部５６がロックレバー３８と当接し回動させて、ロックピン３４とロックレバー３８との係合を解除するようにしてある。
【００４４】
このとき、段部５６及び操作部５８の移動距離は同一であり、長孔５１、５３の孔の長さ範囲である。つまり、長孔５１、５３の長さによりイジェクトレバー４９の移動距離を決定している。
【００４５】
図６及び図７はイジェクトレバー４９がロック機構２４のロックを解除した状態を示すが、このとき、イジェクトレバー４９は、長孔５１、５３とイジェクトレバー軸５２、５４とが係止して移動を禁止されており、操作部５８近くにイジェクトレバー軸５４がある。
なお、図６に示すように、記憶媒体装着装置の正面側には、イジェクトボタン１及びイジェクト操作孔３が備えられている。
【００４６】
図８は本実施の形態に係る強制排出機構の要部斜視図である。図９は本実施の形態に係るラッチ機構の外観斜視図である。
ラッチ機構６０は、スライドシャーシ４に対してスライド可能なスライダー６の側壁部１９（図４参照）に向けて突設したラッチ部６２に設けられており、操作部５８近傍にある。
ラッチ機構６０は、ラッチ部６２にカシメられたラッチレバー軸６４に、回動可能にラッチバネ６５を介して設けられたラッチレバー６６と、ラッチレバー６６の一端に立設されたラッチレバーピン６８と係合して案内するカム溝７０とを備える。
【００４７】
ラッチレバー６６は略Ｌ字状に形成されており、Ｌ字状の一方の足がスライダー６の側壁部１９に向けて突設し、Ｌ字状の他方の足にラッチレバーピン６８が立設され、カム溝７０と係合している。
【００４８】
図８に示すように、カム溝７０は、ロック機構２４を解除する位置にイジェクトレバー４９があるときにラッチレバーピン６８と係合する一方の係止溝７２と、ロック機構２４を解除する動作をしない通常状態にあるときに（図１１を参照）ラッチレバーピン６８と係合する他方の係止溝７４とを有し、係止溝７２と係止溝７４とはスライダー６の側壁部１９から離れつつ記憶媒体装着装置正面側に向かって斜めに形成された斜めガイド溝７６とを有する。
【００４９】
ラッチレバー６６はラッチバネ６５により付勢されており（図８中、矢印Ｄ方向に付勢）、ラッチレバーピン６８が係合するカム溝７０によってラッチレバー６６の回転動作を制御し、イジェクトレバー４９をロックするようにしてある。
【００５０】
図１０は本実施の形態に係るラッチレバーの外観詳細図であり、（ａ）は裏面側を示し、（ｂ）は表面側を示す。
ラッチレバー６６は、ラッチレバーピン６８が略Ｌ字状の一端にカシメられており、略Ｌ字状の角部にラッチレバー軸６４に対応するラッチレバーボス６５がカシメられている。
【００５１】
次に、強制排出機構の動作について説明する。
図１１は本実施の形態に係るイジェクトレバー及びラッチレバーの通常の状態を示す外観斜視図である。
何らかの原因により、記憶媒体装着装置の動きがロックして記憶媒体が取り出せなくなった時、図１１の状態のままとなる。このとき、ラッチレバー６６は、図１１中、矢印Ｄ方向にラッチバネ６５により付勢され、ラッチレバーピン６８はカム溝７０の係止溝７４に係合している。
【００５２】
先ず、イジェクト操作孔３から針金又は竹串などを差し込んで、イジェクトレバー４９の操作部５８を押していくと、ラッチレバーピン６８がカム溝７０の斜めに形成されている斜めガイド溝７６に案内されて、ラッチレバー６６が徐々に一方向に回転していく（図１１の矢印Ｄの方向）。このとき、イジェクトレバー４９の段部５６は、ロックレバー３８の一端と当接して移動し（図１１の矢印Ｃ方向）、ロックレバー３８はロックレバーピン３６を回動軸として回転していく。
【００５３】
次いで、ラッチレバーピン６８がカム溝７０終着点の係止溝７２に至ると、ラッチレバー６６はラッチバネ６５の付勢力により一気に９０度まで回転し（図８の矢印Ｄ方向）、ラッチレバーピン６８が係止溝７２と係合して停止する。このとき、ロックレバー３８とロックピン３４との係合が外れ、ロックを解除している（図８参照）。
したがって、ラッチレバーピン６８が係止溝７２と係合することにより、イジェクトレバー４９を係止し、移動を禁止する。
【００５４】
そして、スライダー６を手動で記憶媒体装着装置の正面側に引き出していくと、スライダー６の側壁部１９が移動して、ベースシャーシ２のコネクタ８とｉＶＤＲ１０のコネクタ接続部とが外れていく（図３参照）。さらに、スライダー６を引き出していくにつれて、スライダー６の側壁部１９のロックピン３４がラッチレバー６６に当たり（図８を参照）、ラッチレバー６６は徐々に逆方向（図１１の矢印Ｄ方向と逆方向）に回転し、ラッチレバーピン６８と係止溝７２の係合がはずれ、イジェクトレバー４９がバネ５５の付勢力によってＣ方向と逆方向に摺動し、それによって、ラッチレバーピン６８がカム溝７０の斜めガイド溝７６に沿って移動する。このとき、ロックレバー３８の一端がロックバネ４０の付勢力によりイジェクトレバー４９の段部５６に当接しながら、ロックレバー３８が回動する（図７及び図１１を参照）。
【００５５】
最後に、ラッチレバーピン６８が斜めガイド溝７６を移動中に、イジェクトレバー４９を排出方向（図１１の矢印Ｃ方向と逆方向）に付勢するバネ５５によって、ラッチレバー６６が矢印Ｄ方向と逆方向（図１１参照）に９０度回転していたラッチレバー６６は、ラッチレバーピン６８がカム溝７０の開始点の係止溝７４に至ると、ラッチバネ６５の付勢力により一気に９０度まで正方向に回転し（図１１の矢印Ｄの方向）、ラッチレバーピン６８が係止溝７４と係合して停止し、イジェクトレバー４９の移動が停止すると同時に、ロックレバー３８がロック位置に復帰する。このとき、ラッチレバーピン６８が係止溝７４に係合することにより、イジェクトレバー４９を係止し、移動を禁止する。
【００５６】
このように本実施の形態では、イジェクトレバー４９を針金又は竹串等で押してロックレバー３８のロックを解除する際に、イジェクトレバー４９をラッチレバー６６でロックしてから記憶媒体を取り出せるようになっている。
したがって、本実施の形態は、針金又は竹串などでイジェクトレバー４９の操作部５８を一方の手で押しながらロック解除位置に固定して、他方の手でスライダー６を引き出していく必要がないので、極めて操作性が良い。
【００５７】
なお、本実施の形態では、記憶媒体としてｉＶＤＲを例にあげたが、これに限るものではなく、他の記憶媒体を取り出す装置に関しても同様の構成を適用することができる。
【図面の簡単な説明】
【００５８】
【図１】記憶媒体ローディング完了モードの本実施の形態に係る記憶媒体装着装置の内部構成を示す斜視図である。
【図２】図１において装着されている記憶媒体を省略した斜視図である。
【図３】スタンバイモードの本実施の形態に係る記憶媒体装着装置の内部構成を示す斜視図である。
【図４】イジェクトモードの本実施の形態に係る記憶媒体装着装置の内部構成を示す斜視図である。
【図５】本実施の形態に係るロック機構を示す一部上面図である。
【図６】本実施の形態に係る強制排出機構を示す記憶媒体装着装置の全体構成斜視図である。
【図７】図６をより上方から視た本実施の形態に係る強制排出機構を示す記憶媒体装着装置の全体構成斜視図である。
【図８】本実施の形態に係る強制排出機構の要部斜視図である。
【図９】本実施の形態に係るラッチ機構の外観斜視図である。
【図１０】本実施の形態に係るラッチレバーの外観詳細図である。
【図１１】本実施の形態に係るイジェクトレバー及びラッチレバーの通常の状態を示す外観斜視図である。
【符号の説明】
【００５９】
６  スライダー
１０  ｉＶＤＲ（記憶媒体）
２４  ロック機構
３４  ロックピン
３８  ロックレバー
４９  イジェクトレバー
５１、５３  長孔
５６  段部
５８  操作部
６０  ラッチ機構
６６  ラッチレバー
６８  ラッチレバーピン
７０  カム溝
７２、７４  係止溝
７６  斜めガイド溝
【図１】
2008084389.tif 000003
【図２】
2008084389.tif 000004
【図３】
2008084389.tif 000005
【図４】
2008084389.tif 000006
【図５】
2008084389.tif 000007
【図６】
2008084389.tif 000008
【図７】
2008084389.tif 000009
【図８】
2008084389.tif 000010
【図９】
2008084389.tif 000011
【図１０】
2008084389.tif 000012
【図１１】
2008084389.tif 000013